(57)【要約】【課題】            把持性及び堅牢性が高く、設計・品質管理にも優れ、腹に当てた際の快適性を一層向上させた竿尻構造を提供することである。  【解決手段】        本発明の一実施形態による釣竿の竿尻構造は、竿掛けを係止する竿掛受け部を有し、ロックウェル硬さが５０以上の硬質部材で形成される略円筒状の竿掛部と、少なくとも一部が該竿掛部の外周面に形成される、軟質部材の把持部とを備え、該竿掛受け部は、竿掛けを係止するための底部と該竿掛部の径方向外側へ突出する突出部とにより凹部を形成し、該凹部は、竿掛部の長手方向で前記把持部により挟まれている【選択図】          図２
2019080535.tif 000002
【特許請求の範囲】
【請求項１】
竿掛けを係止する竿掛受け部を有し、ロックウェル硬さが５０以上の硬質部材で形成される略円筒状の竿掛部と、少なくとも一部が該竿掛部の外周面に形成される、軟質部材の把持部とを備える釣竿の竿尻構造であって、
該竿掛受け部は、竿掛けを係止するための底部と該竿掛部の径方向外側へ突出する突出部とにより凹部を形成し、該凹部は、竿掛部の長手方向で前記把持部により挟まれていることを特徴とする竿尻構造。
【請求項２】
前記硬質部材は、樹脂又は金属で構成される、請求項１に記載の竿尻構造。
【請求項３】
前記把持部は、前記竿掛受け部以外の前記竿掛部の外周面を少なくとも覆うように形成される、請求項１又は２に記載の竿尻構造。
【請求項４】
前記把持部は、竿尻構造の長手方向でみて、前記竿掛受け部を挟んで第１の部分と第２の部分とにより構成される、請求項１から３までのいずれか１項に記載の竿尻構造。
【請求項５】
前記竿掛受け部は、竿掛の係止部材を収容するための溝を備える、請求項１から４までのいずれか１項に記載の竿尻構造。
【請求項６】
前記竿掛受け部の前記溝の、該竿掛部の径方向でみた深さは、５−１０ｍｍである、請求項５に記載の竿尻構造。
【請求項７】
前記竿掛部は、その内部に前記釣竿の一端を収容するための略円筒状の収容部を備える、請求項１から６までのいずれか１項に記載の竿尻構造。
【請求項８】
前記竿掛部は、前記釣竿の長手方向の移動を阻止するため、前記竿掛部の長手方向に垂直な蓋部をその内部に備える、請求項７に記載の竿尻構造。
【請求項９】
前記竿掛部は、前記蓋部により、２つの略円筒状の空間を形成する、請求項８に記載の竿尻構造。
【請求項１０】
前記軟質部材は、発泡材により構成される、請求項１から９までのいずれか１項に記載の竿尻構造。
【請求項１１】
前記把持部は、前記竿掛部の長手方向でみて前記竿掛部から突出している、請求項１から１０までのいずれか１項に記載の竿尻構造。
【請求項１２】
前記把持部は、前記竿掛部の長手方向でみて前記竿掛部から突出し、前記竿掛部の端面を覆っている、請求項１１に記載の竿尻構造。
【発明の詳細な説明】
【技術分野】
【０００１】
本発明は、特に、石鯛竿を含む釣竿の竿尻構造に関するものである。
【背景技術】
【０００２】
従来より、石鯛竿を始め釣竿の竿尻構造として種々の竿尻構造が知られている。このような竿尻構造として、例えば、木製や金属製の竿尻を備えた釣竿がある。
【０００３】
木製の竿尻として、特許文献１には、耐久性に優れ、実釣時に岩場で竿を保護すると共に、実釣による摩耗部分を簡易に交換可能な石突き構造が開示されている。
【０００４】
また、金属製の竿尻として、特許文献２には、軽量化と、堅牢化を図り、簡単で容易な竿操作性を実現し、かつ耐久性を向上させた竿尻構造が開示されている。
【先行技術文献】
【特許文献】
【０００５】
【特許文献１】実願昭４６−０９６４８２号公報
【特許文献２】特開２００５−２１１１００２号公報
【発明の概要】
【発明が解決しようとする課題】
【０００６】
しかしながら、特許文献１に開示の石突き構造では、天然木が使用されるため石突き部品が高価となってしまい、また、割れや不均一さのため設計・品質管理の点でも容易とは言い難かった。さらに、硬質部材であることから石突きを腹に当てた際の快適性が十分なものとはいえなかった。
【０００７】
また、特許文献２に開示の竿尻構造では、金属製であることから堅牢であり加工性に優れるものの、金属製のため把持性が必ずしも良いとはいえず、腹に当てた際の快適性も決して良いとはいえなかった。
【０００８】
本発明の実施形態は、上記のような問題点に鑑み、把持性及び堅牢性が高く、設計・品質管理にも優れ、腹に当てた際の快適性を一層向上させた竿尻構造を提供することを目的とする。
【０００９】
本発明の実施形態の他の目的は、本明細書全体を参照することにより明らかとなる。
【課題を解決するための手段】
【００１０】
本発明の一実施形態に係る釣竿の竿尻構造は、竿掛受け部を有し、ロックウェル硬さが５０以上の硬質部材で形成される略円筒状の竿掛部と、少なくとも一部が該竿掛部の外周面に形成される、軟質部材の把持部とを備え、該竿掛受け部は、竿掛けを係止するための底部と該竿掛部の径方向外側へ突出する突出部とにより凹部を形成し、該凹部は、竿掛部の長手方向で前記把持部に挟まれている。
【００１１】
本発明の一実施形態に係る釣竿の竿尻構造の硬質部材は、樹脂又は金属で構成される。
【００１２】
本発明の一実施形態に係る釣竿の竿尻構造の把持部は、前記竿掛受け部以外の前記竿掛部の外周面を少なくとも覆うように形成される。
【００１３】
本発明の一実施形態に係る釣竿の竿尻構造の把持部は、竿尻構造の長手方向でみて、前記竿掛受け部を挟んで第１の部分と第２の部分とにより構成される。
【００１４】
本発明の一実施形態に係る釣竿の竿尻構造の竿掛受け部は、竿掛の係止部材を収容するための溝を備える。
【００１５】
本発明の一実施形態に係る釣竿の竿尻構造の竿掛受け部の前記溝の、該竿掛部の径方向でみた深さは、５−１０ｍｍである。
【００１６】
本発明の一実施形態に係る釣竿の竿尻構造の竿掛部は、その内部に前記釣竿の一端を収容するための略円筒状の収容部を備える。
【００１７】
本発明の一実施形態に係る釣竿の竿尻構造の竿掛部は、前記釣竿の長手方向の移動を阻止するため、前記竿掛部の長手方向に垂直な蓋部をその内部に備える。
【００１８】
本発明の一実施形態に係る釣竿の竿尻構造の竿掛部は、前記蓋部により、２つの略円筒状の空間を形成する。
【００１９】
本発明の一実施形態に係る釣竿の竿尻構造における軟質部材は、発泡材により構成される。
【００２０】
本発明の一実施形態に係る釣竿の竿尻構造の記把持部は、前記竿掛部の長手方向でみて前記竿掛部から突出している。
【００２１】
本発明の一実施形態に係る釣竿の竿尻構造の把持部は、前記竿掛部の長手方向でみて前記竿掛部から突出し、前記竿掛部の端面を覆っている。
【発明の効果】
【００２２】
本発明の様々な実施形態により、把持性及び堅牢性が高く、設計・品質管理にも優れ、腹に当てた際の快適性を一層向上させることが可能となる。
【図面の簡単な説明】
【００２３】
【図１】本発明の一実施形態における竿尻構造１の使用が想定される態様を示す図である。
【図２】本発明の一実施形態による竿尻構造１の斜視図である。
【図３】本発明の一実施形態による竿尻構造１の断面図である。
【図４】本発明の一実施形態による竿尻構造１の上面図である。
【図５】本発明の一実施形態による竿尻構造１の一側面図である。
【図６】本発明の一実施形態による竿尻構造１の一側面図である。
【図７】本発明の一実施形態による竿尻構造１の各構成部材を示す図である。
【発明を実施するための形態】
【００２４】
以下、適宜図面を参照し、本発明の様々な実施形態を説明する。なお、各図面において共通する構成要素に対しては同一の参照符号が付されている。
【００２５】
各図面は、説明の便宜上、必ずしも正確な縮尺で記載されているとは限らない。以下、本発明の実施形態について図面に基づき説明する。
【００２６】
まず、図１を参照して、本発明の一実施形態における竿尻構造１が竿掛け装置（ピトン）１１に係止された状態を示す例について説明する。竿尻構造１は、竿掛部２と、把持部３とを備える。
【００２７】
図示の例では、海の近くの岩場などに釣竿１２を固定するため、竿掛け装置（ピトンないし竿掛けという）１１が岩場に設置されている。竿掛け装置（ピトンないし竿掛け）１１は、釣竿１２の下方への移動を規制する位置規制部１３と、釣竿１２の一端に固定された竿尻構造１を係止する竿尻係止部１４とで構成される。
【００２８】
図１に示すように、竿尻構造１は、竿掛部２の略中央領域に竿掛受け部４を備え、当該竿掛受け部４は竿尻係止部１４に係止されている。このようにして、竿掛け装置１１に設置された釣竿１２は、魚が当該釣竿１２を大きな力で引っ張ったとしても、竿掛け装置１１から外れることを防止することができる。当該竿掛け装置１１は一例であって、構造、形状、素材等に特段の限定はなく、適宜必要に応じて変更されても構わない。
【００２９】
次に、図２は、図１に示した竿尻構造１の外観を示す斜視図である。図２に示すように、竿尻構造１は、竿掛部２と、把持部３とを備える。前述の通り、竿掛部２には、その略中央領域に竿掛受け部４を備え、竿掛け装置１１の竿尻係止部１４に係止される。本発明の一実施形態における把持部３は、釣竿１２を手で持ち上げる際等に竿尻構造１の把持される部分である。
【００３０】
図示の例では、竿掛受け部４は、竿掛け装置１１を係止するための底部９と該竿掛部２の径方向外側へ突出する突出部１０とにより凹部を形成し、該凹部は、竿掛部２の長手方向で前後を把持部３により取り囲まれている。本発明の一実施形態における突出部１０の端部は、円弧の一部の形状を備え、竿掛部２の径方向でみて把持部３よりも外側に突出しないように構成される。このようにして、把持部３を手で把持した際、手が竿掛け受け部４の突出部３の端部に接触することを回避できため、把持の際の不快感につながることを防止できる。なお、突出部３の端部の形状はこれに限定されず、適宜変更可能である。
【００３１】
次に、図３に、本発明の一実施形態における竿尻構造１の図１のＡ−Ａにおける断面図を示す。図示のように、本発明の一実施形態に係る竿掛部２は、略円筒状に形成され、ロックウェル硬さが５０以上の硬質部材で構成される。本発明の一実施形態に係る竿掛部２の硬質部材は、樹脂又は金属で構成され得るが、これらに限定されるものではない。一方、本発明の一実施形態に係る把持部３は、軟質部材により構成される。当該軟質部材としては、例えば、発泡材、ゴム、エラストマーなどが考えられるが、これらに限定されるものではない。
【００３２】
図３に示すように、竿掛部２は、釣竿１２の一端部分を収容する第１の収容部５と、前述の竿掛受け部４と、後述する銘板（キャップ）８が取り付けられる第２の収容部６とで構成される。
【００３３】
本発明の一実施形態における竿掛受け部４は、竿掛部２の略中央領域に形成され、竿掛け装置１１を係止するため、底部と該竿掛部２の径方向外側へ突出する突出部とにより凹部を形成する。当該竿掛受け部４の凹部は、竿掛部２の長手方向でみて把持部３に挟まれるようにして構成される。図示の竿掛受け部４は一例であって、構造、形状等に特段の限定はなく、適宜必要に応じて変更しても構わない。
【００３４】
本発明の一実施形態に係る竿掛受け部４の凹部の、竿掛部２の径方向でみた最大深さは、５−１０ｍｍに構成される。このようにすることで、竿掛け装置１１の竿尻係止部１４に確実に係合させることができると共に、当該竿尻係止部１４から竿掛部２の竿掛受け部４を回転させて取り外す際に必要とされる力を最小限の範囲に留めることができることで、竿掛部２の取付け・取り外しをより簡易に行うことができる。
【００３５】
本発明の一実施形態に係る竿掛部２は、その内部に釣竿１２の一端部分を収容するため、略円筒状に形成された第１の収容部５を備える。本発明の一実施形態に係る第１の収容部５は、釣竿１２の長手方向の移動を阻止するため、竿掛部２の長手方向に垂直な蓋部７をその内部に備える。竿掛部２はロックウェル硬さが５０以上の硬質部材で構成されるため、釣竿１２の一端部分を収容するために十分な堅牢性を確保できるだけでなく、設計・品質管理を容易にすることが可能となる。
【００３６】
本発明の一実施形態に係る竿掛部２は、当該第１の収容部５とは反対側の端部に、略円筒状に形成された第２の収容部６を備える。本発明の一実施形態に係る第２の収容部６には、銘板（キャップ）８を収容可能に構成される。このようにして、外部から塵や埃などが竿掛部２の内部へ侵入することを防止することができる。
【００３７】
本発明の一実施形態に係る把持部３は、竿掛受け部４以外の、第１の収容部５及び第２の収容部６の外周面にこれらを覆うようにして形成される。本発明の一実施形態に係る把持部３は、竿掛部２の長手方向でみて、竿掛受け部４を挟んで第１の部分と第２の部分とにより構成することができるが、これに限定されるものではない。
【００３８】
本発明の一実施形態に係る把持部３は、当該第２の収容部６を完全に覆うように構成してもよいし、略円筒状の銘板８の収容空間の少なくとも一部を覆うように構成してもよい。図示の例では、本発明の一実施形態に係る把持部３は、第２の収容部６の端面（より正確には当該端面を覆う銘板８の一部）を覆うように構成される。
【００３９】
このようにすることで、竿尻構造１の端面を腹に当てた場合において、硬質部材の竿掛部２ではなく、軟質部材の把持部３が接触するように構成されるため、腹への衝撃や不快感を大幅に低減することが可能となる。
【００４０】
本発明の一実施形態に係る把持部３は、当該第１の収容部５の外周と第１の収容部５の端面を覆うように構成される。図３に示す例では、竿掛部２の長手方向でみて第２の収容部６とは反対側の方向へ第２の収容部５よりも突出するようにして構成される。このようにすることで、釣竿１２の第１の収容部５へ収容される端部領域の保護性を高めることが可能となる。
【００４１】
次に、図４に、本発明の一実施形態における竿尻構造１の上面図を示す。本発明の一実施形態に係る竿掛部２は、ロックウェル硬さが５０以上の硬質部材で構成され、略円筒状の部分に把持部３が取り付けられている。図示のように、当該竿掛部２は、その略中央領域に、竿掛受け部４を形成している。図示の例では、竿掛受け部４の底部９に竿尻係止部１４が係合するように両端部に突出部１０が設けられている。このようにして、竿尻係止部１４が竿尻構造１の、釣竿１２の長手方向への移動を防止することができるため、魚が大きな力で釣竿１２を引いた場合においても、当該竿尻構造１により釣竿１２がもっていかれることを回避できる。
【００４２】
前述の通り、本発明の一実施形態に係る竿掛部２の硬質部材は、樹脂又は金属で構成され得るが、これらに限定されるものではない。一方、本発明の一実施形態に係る把持部３は、軟質部材により構成される。当該軟質部材としては、例えば、発泡材、ゴム、エラストマーなどが考えられるが、これらに限定されるものではない。
【００４３】
本発明の一実施形態に係る把持部３は、軟質部材で構成されているため、腹に当てた場合にあっても、不快感を低減することができる。当該把持部３の端面の外周は例えば、Ｒ５０ｍｍ程度若しくはそれよりも大きく丸み付けられているため、腹に当てた際の負荷を低減することができる。なお、当該把持部３の端面の外周の丸み付けは、これに限定されるものではない。当該把持部３の長手方向における長さは、竿掛部２から７−１０ｍｍ程度突出するようにして形成されるため、腹に当たる部分により大きな弾力を持たせることができ、不快感の低減に繋げることができる。
【００４４】
図５は、腹を当てる側の把持部３の底面図を示すものである。把持部３の腹を当てる側の底面の略中央領域には銘板８が挿入されている。把持部３は、当該銘板を包囲し、かつこれから突出するようにして形成されているため、腹に当てる際の表面積を確保する共に、腹に当てた際の負荷を低減することができる。なお、銘板８の寸法は、こうした目的に照らし適宜変更することができる。
【００４５】
図６は、釣竿１２が挿入される側の把持部３の底面図を示すものである。把持部３の釣竿１２が挿入される側の略中央領域には釣竿１２が挿入されている。当該釣竿１２の端部は、硬質部材の竿掛部２に当接されるため、竿尻構造１の堅牢性を確保することができる。本発明の一実施形態に係る把持部３は、軟質部材により構成されるとしたが、釣竿１２が挿入される側の把持部３は、硬質部材により構成されても構わない。また、この場合、釣竿１２が挿入される側の把持部３は、ロックウェル硬さが５０以上の硬質部材で構成されてもよいがこれに限定されない。釣竿１２が挿入される側の把持部３の把持性も勘案し、適宜硬度を設定することができる。
【００４６】
図７は、把持部３を取り付ける前の、竿掛部２及び把持部３の各構成部材を示す正面図である。竿掛部２が、竿掛受け部４を有し、竿掛受け部４の上部に底部９及び突出部１０が形成されることはすでに説明したのでここで詳細については省略する。
【００４７】
本発明の一実施形態に係る把持部３は、接着剤が塗布された竿掛部２の第１の収容部５及び第２の収容部６を覆うようにしてそれぞれ取り付けられる。第１の収容部５及び第２の収容部６には、その外周面に沿って複数の溝が形成されている。このようにして、上記接着剤が溝内に進入可能となることで、把持部３を竿掛部２により強固に固定することができる。
【００４８】
本発明の実施形態は、上述した実施形態に限定されるものではなく、その要旨を逸脱しない範囲で様々な変更が可能である。例えば、竿掛部２や把持部３の寸法、形状、構造、素材は、上述した実施形態に限定されるものではなく、適宜種々変更可能であることはいうまでもない。
【００４９】
竿掛部２や把持部３を含め本明細書で説明された各構成要素の寸法、材料、及び配置は、実施形態中で明示的に説明されたものに限定されず、この各構成要素は、本発明の範囲に含まれうる任意の寸法、材料、及び配置を有するように変形することができる。また、本明細書において明示的に説明していない構成要素を、説明した実施形態に付加することもできるし、各実施形態において説明した構成要素の一部を省略することもできる。
【符号の説明】
【００５０】
１  竿尻構造
２  竿掛部
３  把持部
４  竿掛受け部
５  第１の収容部
６  第２の収容部
７  蓋部
８  銘板
９  底部
１０  突出部
１１  竿掛け装置
１２  釣竿
１３  位置規制部
１４  竿尻係止部
【図１】
2019080535.tif 000003
【図２】
2019080535.tif 000004
【図３】
2019080535.tif 000005
【図４】
2019080535.tif 000006
【図５】
2019080535.tif 000007
【図６】
2019080535.tif 000008
【図７】
2019080535.tif 000009